(57)【要約】【課題】証明写真プリント後に各写真画像がいずれのオーダー係るものかを容易に判断できるようにする。【解決手段】証明写真用画像処理装置により編集されるプリントデータは、プリントサイズや枚数に応じて印画紙５０内に複数の区域が設定されたものである。また各区域には証明写真として撮影されたファイル名ｘ，ｙの写真画像データが互いに離隔して配置されることにより余白部分５１が形成されている。各写真画像の近傍に形成された余白部分５１には当該写真画像のオーダー番号が配置され、さらに各写真画像の角部近傍には切断目印５３が形成されている。【選択図】　　　　図７
2004042556.tif 000002
【特許請求の範囲】
【請求項１】
証明写真として撮影された１又は複数の写真画像が互いに離隔して配置されることにより余白部分が形成され、且つ、各写真画像がいずれのオーダーに係るものであるかを特定するオーダー特定情報が当該写真画像の近傍にある前記余白部分に表示されるようなプリントデータを編集することが可能であることを特徴とする証明写真用画像処理装置。
【請求項２】
１枚の写真プリントに含まれる１又は複数の区域にそれぞれ１つの写真画像が割り当てられるように、証明写真として撮影された１又は複数の写真画像に係るデータのファイル名と前記１又は複数の区域とを対応付けるための写真画像対応付け手段と、
前記写真画像対応付け手段で各区域に対応付けられたファイル名に係る写真画像が互いに離隔して配置されることにより余白部分が形成され、且つ、各区域の近傍にある前記余白部分に当該区域に対応付けられたファイル名が表示されるようなプリントデータを編集するためのプリントデータ編集手段とを備えていることを特徴とする証明写真用画像処理装置。
【請求項３】
前記１又は複数の区域のそれぞれと、当該区域に対応付けられたファイル名に係る写真画像がいずれのオーダーに係るものであるかを特定するオーダー特定情報とを対応付けるためのオーダー特定情報対応付け手段をさらに備えており、
前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記オーダー特定情報対応付け手段によって当該区域に対応付けられた前記オーダー特定情報が表示されるようなプリントデータを編集することを特徴とする請求項２に記載の証明写真用画像処理装置。
【請求項４】
前記写真画像に係るデータのファイル名と、前記１又は複数の区域のそれぞれに対応付けられたファイル名に係る写真画像がいずれのオーダーに係るものであるかを特定するオーダー特定情報との関係を記憶する記憶手段をさらに備えており、
前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記記憶手段の記憶内容にしたがって当該区域に関連付けられた前記オーダー特定情報が表示されるようなプリントデータを編集することを特徴とする請求項２に記載の証明写真用画像処理装置。
【請求項５】
前記写真画像対応付け手段が、１枚の写真プリントに含まれる複数の区域のそれぞれに対応付けられる写真画像として、異なる複数の写真画像を用いることを特徴とする請求項２〜４のいずれか１項に記載の証明写真用画像処理装置。
【請求項６】
１枚の写真プリントの範囲内に前記１又は複数の区域を設定するための区域設定手段をさらに備えていることを特徴とする請求項２〜５のいずれか１項に記載の証明写真用画像処理装置。
【請求項７】
前記プリントデータ編集手段が、写真画像の角部近傍に切断目印が配置されたプリントデータを編集することを特徴とする請求項２〜６のいずれか１項に記載の証明写真用画像処理装置。
【請求項８】
証明写真として撮影された１又は複数の写真画像が互いに離隔して配置されることにより余白部分が形成され、且つ、各写真画像がいずれのオーダーに係るものであるかを特定するオーダー特定情報が当該写真画像の近傍にある前記余白部分に表示されるようなプリントデータを編集することが可能であることを特徴とする証明写真用画像処理装置としてコンピュータを機能させる為のプログラム。
【請求項９】
１枚の写真プリントに含まれる１又は複数の区域にそれぞれ１つの写真画像が割り当てられるように、証明写真として撮影された１又は複数の写真画像に係るデータのファイル名と前記１又は複数の区域とを対応付けるための写真画像対応付け手段、及び、
前記写真画像対応付け手段で各区域に対応付けられたファイル名に係る写真画像が互いに離隔して配置されることにより余白部分が形成され、且つ、各区域の近傍にある前記余白部分に当該区域に対応付けられたファイル名が表示されるようなプリントデータを編集するためのプリントデータ編集手段、としてコンピュータを機能させる為のプログラム。
【請求項１０】
前記１又は複数の区域のそれぞれと、当該区域に対応付けられたファイル名に係る写真画像がいずれのオーダーに係るものであるかを特定するオーダー特定情報とを対応付けるためのオーダー特定情報対応付け手段としてコンピュータをさらに機能させ、
前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記オーダー特定情報対応付け手段によって当該区域に対応付けられた前記オーダー特定情報が表示されるようなプリントデータを編集することを特徴とする請求項９に記載のプログラム。
【請求項１１】
前記写真画像に係るデータのファイル名と、前記１又は複数の区域のそれぞれに対応付けられたファイル名に係る写真画像がいずれのオーダーに係るものであるかを特定するオーダー特定情報との関係を記憶する記憶手段としてコンピュータをさらに機能させ、
前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記記憶手段の記憶内容にしたがって当該区域に関連付けられた前記オーダー特定情報が表示されるようなプリントデータを編集することを特徴とする請求項９に記載のプログラム。
【請求項１２】
請求項１〜７のいずれか１項に記載の証明写真用画像処理装置と、
前記証明写真用画像処理装置から供給されたプリントデータに基づいて画像を形成する画像形成手段とを備えていることを特徴とする証明写真処理装置。
【発明の詳細な説明】
【０００１】
【発明の属する技術分野】
本発明は、証明写真として撮影された画像データを処理する証明写真用画像処理装置、それに用いられるプログラム、及び、証明写真処理装置に関する。
【０００２】
【従来の技術】
写真専門店において店員が顧客から証明写真プリントの注文を受けた場合、写真処理機を用いて、例えば顧客が持ち込んだＣＤに収められているデジタルの写真画像データを処理して証明写真としてプリントすることがある。従来の証明写真処理機では、オペレータが写真画像データを出力してから、露光・現像処理を行うため略５分後にプリントが仕上がる。このような露光・現像処理に伴うタイムラグがあるため、特に大量のオーダーを受けて各オーダーに係る画像データを続けて出力すると、仕上がったプリントに形成された各写真画像がいずれのオーダーに係るものであるかを判断しにくい。また、効率を上げるために１枚の印画紙内に複数の異なるオーダーに係る写真画像をプリントすると、当該印画紙内にプリントされた各写真画像がいずれのオーダーに係るものであるかを判断するのはさらに困難である。
【０００３】
プリントされた各写真画像がいずれのオーダーに係るものかを容易に判断できるよう、一般の写真プリント（定型の感光紙に対して１つの画像を形成している所謂写真プリント）の場合は、各写真画像がいずれのオーダーに係るものかを判断できるよう裏面にオーダー番号をドットプリントするものがある。一般の写真プリントは１枚に１画像プリントすることが前提とされているため、ドットプリントは通常１ラインで裏面のどこかにプリントされればよく、プリント位置を厳密に特定する必要がない。したがって従来裏面ドットプリントには、印画紙の裏面のように滑りの生じる材料に対しても特に滑り抵抗を有さない、比較的精度の低い安価な搬送機構を用いてドットプリントが行われている。
【０００４】
【発明が解決しようとする課題】
ここで、１枚の印画紙内に複数の写真画像がプリントされる証明写真プリントに従来の一般写真プリントに用いられる裏面ドットプリントを適用する場合について考えてみる。裏面ドットプリントは搬送方向に平行に形成されるのが一般であり、この場合、写真画像を搬送方向に複数列配置すると、そのうちの一列のみにしかプリントできないという不都合が生じる。そこで、裏面ドットプリントを搬送方向と直交する方向に形成することにすると、写真画像を搬送方向に複数列配置する場合にも、列と直交する行毎に１ラインずつ裏面ドットプリントすることにより対応できると考えられる。しかしながら、従来の裏面ドットプリントには精度の低い搬送機構が用いられているため、滑りによってプリント位置が設定した位置からずれてしまい、各写真画像の裏面にドットプリントが施されない恐れがある。各写真画像の裏面に確実にドットプリントを施すには従来のような精度の低い安価な搬送機構ではなくより精度の高い高価な搬送機構が要求されることになり、コスト面でも不利になる。
【０００５】
そこで、本発明の目的は、精度の高い搬送機構を必要とせずプリント後の各写真画像がいずれのオーダーに係るものかを容易に判断できる証明写真処理装置及びそれに用いられるプログラムを提供することである。
【０００６】
【課題を解決するための手段】
上記目的を達成するために、請求項１の証明写真用画像処理装置は、証明写真として撮影された１又は複数の写真画像が互いに離隔して配置されることにより余白部分が形成され、且つ、各写真画像がいずれのオーダーに係るものであるかを特定するオーダー特定情報が当該写真画像の近傍にある前記余白部分に表示されるようなプリントデータを編集することが可能であることを特徴とする。
【０００７】
請求項１によると、証明写真として撮影された各写真画像がいずれのオーダーに係るものであるかを特定するオーダー特定情報が当該写真画像の近傍にある余白部分に表示されるようなプリントデータを編集し、このプリントデータに基づいて印画紙へのプリントを行わせることができる。この場合、プリント後の印画紙における各写真画像の近傍に、例えばオーダー番号やオーダー主の個人名や会社名又はこれらの識別番号などのオーダー特定情報がプリントされることから、各写真画像がいずれのオーダーに係るものかを容易且つ迅速に判断できる。また、印画紙に対して画像が形成される面のみにプリントが行われるので、裏面ドットプリントを適用する場合の精度の高い搬送機構が必要ない。さらに、効率を上げるために複数の異なるオーダーに係る写真画像を１枚の印画紙にプリントする場合でも、プリント後の印画紙には各写真画像の近傍にオーダー特定情報が表示されているので、各写真画像がいずれのオーダーに係るものかを容易且つ迅速に判断することができる。また、プリント後の印画紙には各写真画像が互いに余白部分を介して表示されるため、写真画像毎の切断を精度よく行うことができる。
【０００８】
請求項２の証明写真用画像処理装置は、１枚の写真プリントに含まれる１又は複数の区域にそれぞれ１つの写真画像が割り当てられるように、証明写真として撮影された１又は複数の写真画像に係るデータのファイル名と前記１又は複数の区域とを対応付けるための写真画像対応付け手段と、前記写真画像対応付け手段で各区域に対応付けられたファイル名に係る写真画像が互いに離隔して配置されることにより余白部分が形成され、且つ、各区域の近傍にある前記余白部分に当該区域に対応付けられたファイル名が表示されるようなプリントデータを編集するためのプリントデータ編集手段とを備えていることを特徴とする。
【０００９】
請求項２によると、写真画像対応付け手段によって１枚の写真プリント内の各区域とその各区域に割り当てられる写真画像データのファイル名とが対応付けられ、さらに、各写真画像が互いに離隔して配置されることで余白部分が形成されると共に各区域の近傍にある余白部分に当該区域に対応付けられたファイル名が表示されるようなプリントデータが、プリントデータ編集手段によって編集される。このプリントデータに基づいて印画紙へのプリントを行わせると、プリント後の印画紙における各写真画像の近傍に、当該写真画像データのファイル名がプリントされる。したがって、精度の高い搬送機構を用いずに、特に複数の異なるオーダーに係る写真画像を１枚の印画紙にプリントする場合であっても、ファイル名からその写真画像がいずれのオーダーに係るものかを判断できる。また、余白部分が形成されることから写真画像毎の切断を精度よく行うことができる。
【００１０】
請求項３の証明写真用画像処理装置は、請求項２において、前記１又は複数の区域のそれぞれと、当該区域に対応付けられたファイル名に係る写真画像がいずれのオーダーに係るものであるかを特定するオーダー特定情報とを対応付けるためのオーダー特定情報対応付け手段をさらに備えており、前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記オーダー特定情報対応付け手段によって当該区域に対応付けられた前記オーダー特定情報が表示されるようなプリントデータを編集することを特徴とする。
【００１１】
請求項３によると、オーダー特定情報対応付け手段によって、各区域に対応付けられたオーダー特定情報が各区域の近傍にある余白部分に表示されるようなプリントデータを編集する。このプリントデータに基づいて印画紙へのプリントを行わせると、プリント後の印画紙における各写真画像の近傍に、例えばオーダー番号やオーダー主の個人名や会社名又はこれらの識別番号などのオーダー特定情報がプリントされる。したがって、請求項２と同様の効果が得られると共に、写真画像データのファイル名以外にもオーダー番号などオペレータにとって把握しやすいオーダー特定情報を各写真画像近傍にプリントさせることができるので、プリント後の各写真画像がいずれのオーダーに係るものかを容易且つ迅速に判断することができ、さらに仕分けしやすくなる。
【００１２】
請求項４の証明写真用画像処理装置は、請求項２において、前記写真画像に係るデータのファイル名と、前記１又は複数の区域のそれぞれに対応付けられたファイル名に係る写真画像がいずれのオーダーに係るものであるかを特定するオーダー特定情報との関係を記憶する記憶手段をさらに備えており、前記プリントデータ編集手段が、前記写真画像対応付け手段で各区域に対応付けられたファイル名に係る写真画像が互いに離隔して配置されることにより余白部分が形成され、且つ、各区域の近傍にある前記余白部分に前記記憶手段の記憶内容にしたがって当該区域に関連付けられた前記オーダー特定情報が表示されるようなプリントデータを編集することを特徴とする。
【００１３】
請求項４によると、各区域とそのそれぞれに対応付けられたファイル名に係る写真画像がいずれのオーダーに係るものであるかを特定するオーダー特定情報との関係を記憶する記憶手段を備え、またプリントデータ編集手段が、各区域の余白部分にその記憶手段の記憶内容にしたがって当該区域に関連付けられたオーダー特定情報が表示されるようなプリントデータを編集する。このプリントデータに基づいて印画紙へのプリントを行わせると、プリント後の印画紙における各写真画像の近傍に、例えばオーダー番号やオーダー主の個人名や会社名又はこれらの識別番号などのオーダー特定情報がプリントされる。したがって、請求項２と同様の効果が得られると共に、写真画像データのファイル名以外にもオーダー番号などオペレータにとって把握しやすいオーダー特定情報を各写真画像近傍にプリントさせることができるので、プリント後の各写真画像がいずれのオーダーに係るものかを容易且つ迅速に判断することができ、さらに仕分けしやすくなる。
【００１４】
請求項５の証明写真用画像処理装置は、請求項２〜４のいずれか１項において、前記写真画像対応付け手段が、１枚の写真プリントに含まれる複数の区域のそれぞれに対応付けられる写真画像として、異なる複数の写真画像を用いることを特徴とする。
【００１５】
請求項５によると、異なる複数の写真画像を１枚の印画紙内にプリントさせる場合にも、写真画像対応付け手段によって異なる写真画像を１枚の写真プリント内の各区域に対応付けることができ、別々の印画紙にプリントする必要がない。
したがって紙を効率よく使用することができ、経済的である。
【００１６】
請求項６の証明写真用画像処理装置は、請求項２〜５のいずれか１項において、１枚の写真プリントの範囲内に前記１又は複数の区域を設定するための区域設定手段をさらに備えていることを特徴とする。
【００１７】
請求項６によると、プリントサイズや枚数を指定すると、区域設定手段により１枚の写真プリントの範囲内に最大限収まるよう、区域が自動的に設定されるので、短時間で且つ効率よく区域が設定されると共に、効率のよい紙の使用によりコストを抑えることができる。
【００１８】
請求項７の証明写真用画像処理装置は、請求項２〜６のいずれか１項において、前記プリントデータ編集手段が、写真画像の角部近傍に切断目印が配置されたプリントデータを編集することを特徴とする。
【００１９】
請求項７によると、プリントデータ編集手段により編集されたプリントデータに基づいてプリントされた印画紙には、各写真画像の角部近傍に切断目印が表示される。この切断目印により、写真画像毎に切断する作業を円滑に行える。
【００２０】
また、請求項８〜１１に記載のプログラムは、コンピュータを請求項１〜４のような証明写真用画像処理装置として機能させることが可能なプログラムであり、請求項１〜４と夫々同様の作用効果を奏する。なお、請求項８〜１１の夫々に記載されているプログラムは、ＣＤ−ＲＯＭ、ＦＤ、ＭＯなどのリムーバブル型記録媒体やハードディスクなどの固定型記録媒体に記録して配布可能である他、有線又は無線の電気通信手段によってインターネットなどの通信ネットワークを介して配布可能である。
【００２１】
請求項１２の証明写真処理装置は、請求項１〜７のいずれか１項に記載の証明写真用画像処理装置と、前記証明写真用画像処理装置から供給されたプリントデータに基づいて画像を形成する画像形成手段とを備えていることを特徴とする。
【００２２】
請求項１２によると、請求項１〜７のいずれか１項に記載の証明写真用画像処理装置を用いて証明写真用のプリントデータを編集し、そのプリントデータに基づいて印画紙に画像を形成することで、使用する請求項１〜７のいずれか１項に記載の証明写真用画像処理装置に係る効果と同様の効果を得ることができる。
【００２３】
【発明の実施の形態】
以下、本発明の好適な実施の形態について、図面を参照しつつ説明する。
【００２４】
図１は、本発明の一実施形態に係る証明写真処理装置の構成を示すブロック図である。本実施形態の証明写真処理装置１００は、後に詳述するような証明写真用画像を処理する機能を担うと共に証明写真処理装置１００各部の制御を行うコントローラ１（本発明の一実施形態に係る証明写真用画像処理装置を含む）と、コントローラ１から供給されたプリントデータに基づいて画像を形成する画像形成部２２とを備えている。
【００２５】
コントローラ１は、ＦＤドライブ２０ａ及びＣＤ−ＲＯＭドライブ２０ｂとデータ交換可能に接続されている。これによりＦＤやＣＤ−ＲＯＭなどの記録媒体に記録されている写真画像データを読み込んで、コントローラ１における後述の写真画像データ記憶部１４（図２参照）に記憶させることができるようになっている。またコントローラ１には、オーダー番号やプリントサイズ・枚数など各種情報をコントローラ１に対して入力する入力手段としてのキーボード３０ｂやマウス（図示せず）、及びプリントデータを含めた各種情報を表示する出力手段としてのディスプレイ３０ａがそれぞれ接続されている。
【００２６】
画像形成部２２は、コントローラ１内のプリントデータ記憶部１７（図２参照）に記憶されているプリントデータに基づいて、印画紙に対して露光を行う露光部２２ａと、露光部２２ａにより画像データの潜像が形成された印画紙に対して現像、漂白定着、安定化、乾燥などの処理を施して排出する現像処理部２２ｂとから構成されている。
【００２７】
なお、コントローラ１は、上記画像形成部２２における露光部２２ａに含まれる露光ヘッドに対してプリントデータを転送するだけでなく、画像形成部２２の露光部２２ａ、現像処理部２２ｂ、印画紙を搬送するための搬送部（図示せず）など画像形成に関する全般的な制御も行う。つまり、画像形成部２２における印画紙の搬送や露光のタイミングがコントローラ１によって制御されることで、適切なプリント処理が行われるようになっている。
【００２８】
以上に述べたように、本実施形態の証明写真処理装置１００によると、コントローラ１を用いて証明写真のプリントデータを編集し、当該プリントデータに基づいて画像形成部２２の露光部２２ａにより印画紙５０が露光され、さらに現像処理部２２ｂにより現像処理が施され、プリントデータに基づいた画像が印画紙５０に形成される。つまり証明写真処理装置１００によりプリント処理された印画紙５０には、コントローラ１によって編集されたプリントデータによる画像が形成されることになり、後に詳述するコントローラ１に係る効果と同様の効果を得ることができる。
【００２９】
なお、図１に示す証明写真処理装置１００は本発明の証明写真処理装置に係る好適な実施の形態であり、本発明は上述の実施の形態に限られるものではなく、特許請求の範囲に記載した限りにおいて様々な設計変更が可能である。例えば、画像形成部２２は印画紙５０に対して露光及び現像を施すことによりプリントデータに基づいた画像を形成するのではなく、インクジェット式プリンタのようにインクの吐出により画像を形成するものであってよい。また、コントローラ１に接続される構成要素も様々に変更可能である。
【００３０】
また、本実施形態における証明写真用画像処理装置はコントローラ１に含まれた構成となっているが、画像形成部２２に含まれた構成としてよい。つまり、証明写真用画像処理装置は、証明写真処理装置１００各部の制御を行う制御ユニットと別として、制御ユニットと互いに電気的に接続された構成としてよい。
【００３１】
次いで、図２及び図３を参照しつつ、図１に示した本発明の一実施形態に係るコントローラ１の証明写真用画像処理を行う各部の構成、及びこのコントローラ１における証明写真用画像処理に用いられるプログラムについて説明する。
【００３２】
なお、以下に述べるプログラムは本実施形態のコントローラ１によって行われる証明写真用画像処理の一例である。ここでは１顧客が１つの写真画像を複数の証明写真としてプリントすることを要望し、計２人の顧客（顧客Ｘ，顧客Ｙ）からの注文（２オーダー）に係るそれぞれ異なる２つの写真画像を１枚の印画紙にプリントする場合とする。
【００３３】
証明写真として撮影された写真画像データは、例えばＣＤ−ＲＯＭ、ＦＤ、コンパクトフラッシュやＰＣカードのようなスマートメディア（共に登録商標）などの記録媒体に予め記録された状態であるものとする。顧客Ｘ，Ｙそれぞれのオーダーに係る上記のような記録媒体に記録された写真画像データは、図１に示したＦＤドライブ２０ａやＣＤ−ＲＯＭドライブ２０ｂなどを介して順に読み出され、それぞれファイル名ｘ，ｙとして、図２のコントローラ１における写真画像データ記憶部１４に記憶される（Ｓ１）。
【００３４】
そしてオペレータにより、写真画像データ記憶部１４に記憶された各写真画像データに対して、いずれのオーダーに係るものかを特定するオーダー特定情報として、オーダー番号が指定される。例えばオペレータにより図１に示したキーボード３０ｂなどの入力手段からオーダー番号が入力され、各写真画像データのファイル名とそのオーダー番号との関係を示すテーブルが作成されて、図２の写真画像データ・オーダー番号記憶部１５に記憶される（Ｓ２）。ここでは、顧客Ｘからの注文はオーダーＮｏ．１、顧客Ｙからの注文はオーダーＮｏ．２とし、ファイル名ｘ，ｙとオーダーＮｏ．１，２とが対応付けられたテーブル（ファイル名ｘ：オーダーＮｏ．１；ファイル名ｙ：オーダーＮｏ．２）が写真画像データ・オーダー番号記憶部１５に記憶されるものとする。
【００３５】
次に、オペレータにより各写真画像のプリントサイズやプリント枚数などが図１に示したキーボード３０ｂなどの入力手段から入力される（Ｓ３）。このオペレータの入力に応じて、先ず図２の区域設定部１１によって、１枚の印画紙内に最も効率よく配置されるようプリント区域が設定される（Ｓ４）。
【００３６】
例えば図４に示すように略１３０ｍｍ×１８０ｍｍサイズの印画紙５０に対して顧客Ｘの写真画像は４０ｍｍ×５０ｍｍサイズを３枚、顧客Ｙの写真画像は３０ｍｍ×４０ｍｍサイズ３枚及び２４ｍｍ×３０ｍｍサイズ４枚と指定した場合、区域設定部１１は、印画紙内に収まるように長方形のプリント区域Ａ〜Ｊを自動的に設定する。ここで区域Ａ，Ｂ，Ｃは４０ｍｍ×５０ｍｍサイズ、区域Ｄ，Ｅ，Ｆは３０ｍｍ×４０ｍｍサイズ、区域Ｇ，Ｈ，Ｉ，Ｊは２４ｍｍ×３０ｍｍサイズである。
【００３７】
次に、図２の区域・写真画像データ対応付け部１２によって、区域設定部１１によって設定されたプリント区域Ａ〜Ｊに対してそれぞれ１つの写真画像データが割り当てられるように、各区域Ａ〜Ｊと各写真画像データのファイル名ｘ，ｙとが対応付けられる（Ｓ５）。上述した図４に示す区域設定の例では、区域Ａ〜Ｃとファイル名ｘ、区域Ｄ〜Ｊとファイル名ｙがそれぞれ対応付けられる。
【００３８】
そして次に、図２の区域・オーダー番号対応付け部１３によって、上記区域・写真画像データ対応付け部１２によって対応付けられた区域と写真画像データのファイル名との関係、及び、上述の写真画像データ・オーダー番号記憶部１５に記憶された写真画像データのファイル名とオーダー番号との関係に基づいて、各区域Ａ〜Ｊと写真画像データのオーダー番号とが対応付けられる（Ｓ６）。上記の例では、区域Ａ〜ＣはオーダーＮｏ．１、区域Ｄ〜ＪはオーダーＮｏ．２と対応付けられる。
【００３９】
以上のようにして各区域Ａ〜Ｊ、各写真画像データのファイル名ｘ，ｙ、及び、オーダー番号についての対応テーブルが作成され、図２の対応テーブル記憶部１６に記憶される（Ｓ７）。上述した例における対応テーブルを、表１に示す。なお、対応テーブルにおいてプリント区域Ａ〜Ｊを画定するため、例えば座標（例えば各区域の右上点及び左下点の座標）を用いることが考えられる。
【００４０】
【表１】
2004042556.tif 000003
【００４１】
続いて、上記の対応テーブル記憶部１６に記憶された対応テーブルに基づき、プリントデータ編集部１８によって印画紙５０にプリントするプリントデータの編集が行われる。
【００４２】
図２のプリントデータ編集部１８に含まれる写真画像データ配置部１８ａは、図５に示すように、上記表１の対応テーブルにおいて各区域Ａ〜Ｊと対応付けられているファイル名ｘ，ｙの写真画像データを、適宜拡大・縮小を行ってそれぞれ対応する区域Ａ〜Ｊに収まるよう配置する（Ｓ８）。このとき各写真画像データは互いに離隔して配置されることにより余白部分５１が形成されるが、この余白部分５１は証明写真を精度よく切断して所望のサイズとするために必要なものである。
【００４３】
図２のプリントデータ編集部１８に含まれるオーダー番号配置部１８ｂは、上記表１の対応テーブルにおいて各区域Ａ〜Ｊと対応付けられているオーダー番号をイメージデータとして、図６に示すように、それぞれ対応する区域の近傍にある余白部分５１に配置する（Ｓ９）。なお、本実施形態では各区域の下側の余白部分５１にオーダー番号を配置しているが、対応する各区域の近傍であれば上下左右いずれの余白部分に配置してもよい。
【００４４】
さらに図２のプリントデータ編集部１８に含まれる切断目印形成部１８ｃによって、図７に示すように、各写真画像の角部近傍に切断目印５３が配置される（Ｓ１０）。切断目印５３は、各写真画像の幅方向及び長手方向に沿った２本の線分が１組となって、長方形である写真画像の４つの角部にそれぞれ配置されている。なお、区域Ａ〜Ｊに配置される各写真画像は所望のサイズより若干大きなサイズで、角部近傍に形成された切断目印５３の同方向に延びた線分をそれぞれ写真画像の４辺に沿って結ぶと所望のサイズとなるよう構成されている。
【００４５】
以上のようにプリントデータ編集部１８の各部１８ａ〜１８ｃによって編集されたプリントデータは、プリントデータ記憶部１７に記憶される（Ｓ１１）。
【００４６】
なお、図２に示すコントローラ１は、例えば汎用のパーソナルコンピュータ等の情報処理装置によって構成されている。かかる情報処理装置には、ＣＰＵ、ＲＯＭ、ＲＡＭ、ハードディスク等のハードウェアが収納されており、ハードディスクには、当該情報処理装置をコントローラ１として機能させるための証明写真用画像処理プログラム（このプログラムは、ＣＤ−ＲＯＭ、ＦＤ、ＭＯ等のリムーバブル型記録媒体に記録しておくことにより、任意のコンピュータにインストールすることが可能である。）を含む各種のソフトウェアが記憶されている。そして、これらのハードウェア及びソフトウェアが組み合わされることによって、上述の各部１１〜１８が構築されている。
【００４７】
以上に述べたように、本実施形態のコントローラ１に含まれた証明写真用画像処理装置によると、図２に示した区域・写真画像データ対応付け部１２によって、１枚の印画紙内の各区域Ａ〜Ｊとその各区域Ａ〜Ｊに割り当てられる写真画像データのファイル名ｘ，ｙとが対応付けられる。そしてプリントデータ編集部１８によって編集されるプリントデータは、写真画像データ配置部１８ａによりファイル名ｘ，ｙの写真画像データが各区域Ａ〜Ｊに互いに離隔して配置されることで余白部分５１が形成されると共に、オーダー番号配置部１８ｂにより各区域Ａ〜Ｊの近傍にある余白部分５１に当該区域Ａ〜Ｊに配置された写真画像データのオーダー番号が表示されたものとなる。このプリントデータに基づいて印画紙へのプリントを行わせると、プリント後の印画紙における各写真画像の近傍に、当該写真画像データのオーダー番号がプリントされる。この場合、印画紙５０に対して画像が形成される面のみにプリントが行われるので、従来の一般写真プリントの裏面ドットプリントを適用する際に必要となる、精度の高い搬送機構は要求されない。また、プリント後の印画紙５０には各写真画像の近傍にオーダー番号が表示されているので、各写真画像がいずれのオーダーに係るものかを容易且つ迅速に判断することができる。
【００４８】
また、プリントされた印画紙５０には各写真画像が互いに余白部分５１を介して表示されるため、写真画像毎に精度よく切断することができる。
【００４９】
さらに、上記の例のように効率を上げるために２つの異なるオーダーに係る写真画像を１枚の印画紙５０にプリントする場合であっても、区域・写真画像データ対応付け部１２によって、異なる写真画像データを１枚の印画紙５０内に含まれるプリント区域Ａ〜Ｊに対応付けることができるので、異なる複数の写真画像を別々の印画紙にプリントする必要がない。つまり、異なる複数の写真画像を１枚の印画紙５０にプリントすることで紙を効率よく使用することができ、経済的である。
【００５０】
また、図２に示した区域設定部１１により、プリントサイズや枚数を指定すると１枚の印画紙５０の範囲内に最大限収まるよう区域Ａ〜Ｊが自動的に設定されるので、短時間で且つ効率よく区域が設定されると共に、効率のよい紙の使用によりコストを抑えることができる。
【００５１】
また、図２に示したプリントデータ編集部１８の切断目印形成部１８ｃにより写真画像の角部近傍に切断目印５３が配置され、このプリントデータに基づいてプリントされた印画紙５０には各写真画像の角部近傍に切断目印５３が表示される。この切断目印５３により、写真画像毎に切断する作業を円滑に行える。
【００５２】
なお、上記は１オーダー内で１つの写真画像データのみ扱う場合について説明しているが、１オーダー内で複数の異なる写真画像データを扱ってもよい。また、上記は１枚の印画紙５０内に２オーダーに係る２つの写真画像をプリントするものとしているが、本発明は、１オーダー又は３オーダー以上の写真画像を１枚の印画紙５０内にプリントしたり、１オーダーに係る１つの写真画像を１又は複数の区域にプリントしたりする場合にも適用可能である。
【００５３】
以上、本発明の証明写真用画像処理装置に係る好適な実施の形態について説明したが、本発明は上述の実施の形態に限られるものではなく、特許請求の範囲に記載した限りにおいて様々な設計変更が可能である。例えば、図２の写真画像データ記憶部１４を省略して写真画像データをコントローラ１内に記憶せず、様々な記録媒体から読み出したデータを直接処理する構成としてよい。
【００５４】
また、各写真画像データがいずれのオーダーに係るものかを特定するオーダー特定情報として、本実施形態ではオーダー番号を用いているが、これに限定されず、例えばオーダー主の個人名や会社名などを用いてよい。
【００５５】
また、上述の実施形態では余白部分５１にオーダー番号が表示されるようなプリントデータを編集しているが、オーダー番号などの各写真画像データがいずれのオーダーに係るものかを特定するオーダー特定情報ではなく、写真画像データのファイル名ｘ，ｙであってよい。この場合、区域・オーダー番号対応付け部１３及び写真画像データ・オーダー番号記憶部１５が省略され、オペレータは、例えばファイル名ｘ，ｙとそのオーダー特定情報との関係を示した紙などを参照しつつ切断された個々のプリントをオーダー毎に仕分けしてよい。
【００５６】
また、区域・オーダー番号対応付け部１３を省略し、各区域Ａ〜Ｊとそれに対応付けられた写真画像データのオーダー番号とを直接対応付けない構成としてよい。この場合においても、写真画像データ・オーダー番号記憶部１５には各写真画像データとオーダー番号との対応が記憶されており、区域・写真画像データ対応付け部１２によって各区域と写真画像データとが対応付けられるため、表１のような対応テーブルを作成することが可能である。つまり、区域・オーダー番号対応付け部１３を省略した場合であっても、上述の実施形態と同様に、各写真画像の近傍にオーダー番号が表示されるような図６のようなプリントを得ることができる。
【００５７】
また同様に、写真画像データ・オーダー番号記憶部１５を省略し、各写真画像データとそのオーダー番号との関係を示すテーブルを装置内に記憶しない構成としてよい。この場合、区域・写真画像データ対応付け部１２によって各区域と写真画像データとが対応付けられ、さらに区域・オーダー番号対応付け部１３によって各区域とオーダー番号とが対応付けられるため、表１のような対応テーブルを作成することが可能である。つまり、写真画像データ・オーダー番号記憶部１５を省略した場合であっても、上述の実施形態と同様に、各写真画像の近傍にオーダー番号が表示されるような図６のようなプリントを得ることができる。以上は、表１に示す対応テーブルは３つの項目（区域・写真画像データのファイル名・オーダー番号）が対応付けられれば作成可能であることから容易に理解されるであろう。
【００５８】
また、区域設定部１１を省略してよい。この場合、プリント区域はオペレータによるプリントサイズや枚数の指定によって自動的に設定されないので、プリントサイズや枚数に応じてオペレータが区域を設定する。
【００５９】
また、プリントデータ編集部１８における切断目印形成部１８ｃを省略してよい。しかしこの場合、プリントされた印画紙を写真画像毎に切断するとき計測するなど煩雑な作業が必要となるので、この切断作業を円滑に行うという観点からは切断目印５３を形成するのが好ましい。
【００６０】
また、プリントサイズなどオペレータの作業上都合のよい情報を余白部分５１に配置してよい。
【００６１】
さらに、上述の実施形態ではプリント区域Ａ〜Ｊを設定し、各区域に写真画像データを配置し、その後余白部分５１に写真画像データに係るオーダー番号を配置する、というデータの編集手順をとっているが、このような手順に限定されない。つまり、プリント後の印画紙５０に、各写真画像が互いに離隔して形成され且つ余白部分５１に各写真画像に関する情報（ファイル名やオーダー番号）が表示されるのであれば、他にも様々な装置構成及び手順によって画像処理を行ってよい。例えば設定された区域に画像データ及びオーダー番号を別々に配置していくのではなく、先ず各写真画像データとオーダー番号とを対応付けて１つの画像データとし、この画像データをプリントサイズ・枚数に応じて１枚の印画紙に余白部分を設けつつ配置する、という手順により画像処理を行ってよい。
【００６２】
また、上述の実施形態では、各写真画像データに対するオーダー番号をキーボード３０ｂから入力することにより写真画像データ・オーダー番号記憶部１５に記憶させる（Ｓ２）としているが、これに限定されるものではない。例えば、各写真画像データのファイル名とオーダー番号とを対応させたテーブル（表１の下側２段）をスキャナなどで読み込むことにより、当該テーブルを本実施形態に係るコントローラ１の写真画像データ・オーダー番号記憶部１５に記憶させてもよい。
【００６３】
【発明の効果】
請求項１によると、精度の高い搬送機構を用いずに、プリント後の印画紙における各写真画像がいずれのオーダーに係るものかを容易且つ迅速に判断できる。
【００６４】
請求項２によると、精度の高い搬送機構を用いずに、プリント後の印画紙における各写真画像の近傍にプリントされたファイル名から、各写真画像がいずれのオーダーに係るものかを判断できる。
【００６５】
請求項３及び請求項４によると、請求項２と同様の効果が得られると共に、ファイル名以外にもオーダー番号などオペレータにとって把握しやすいオーダー特定情報を各写真画像近傍にプリントさせることができるので、プリント後の各写真画像がいずれのオーダーに係るものかを容易且つ迅速に判断することができ、仕分けしやすくなる。
【００６６】
請求項５によると、１枚の印画紙内に異なる複数の写真画像をプリントすることで、紙を効率よく使用することができ、経済的である。
【００６７】
請求項６によると、短時間で且つ効率よく区域が設定されると共に、紙のコストを抑えることができる。
【００６８】
請求項７によると、写真画像毎に切断する作業を円滑に行える。
【００６９】
請求項８〜１１によると、請求項１〜４と夫々同様の効果を得ることができる。
【００７０】
請求項１２によると、使用する請求項１〜７のいずれか１項に記載の証明写真用画像処理装置に係る効果と同様の効果を得ることができる。
【図面の簡単な説明】
【図１】本発明の一実施形態に係る証明写真処理装置の構成を示すブロック図である。
【図２】本発明の一実施形態に係るコントローラの証明写真用画像処理を行う各部の構成を示すブロック図である。
【図３】図２のコントローラにおける証明写真用画像処理に用いられるプログラムの処理を示すフローチャートである。
【図４】１枚の印画紙内に設定されるプリント区域を示す模式図である。
【図５】図４の各プリント区域に写真画像データが配置されるのを示す模式図である。
【図６】図５の状態からさらに各区域と対応付けられたオーダー番号が区域の近傍にある余白部分に配置された状態を示す模式図である。
【図７】図６の状態からさらに各写真画像の角部近傍に切断目印が形成された状態を示す模式図である。
【符号の説明】
１　コントローラ（証明写真用画像処理装置）
１１　区域設定部（区域設定手段）
１２　区域・写真画像データ対応付け部（写真画像対応付け手段）
１３　区域・オーダー番号対応付け部（オーダー特定情報対応付け手段）
１５　写真画像データ・オーダー番号記憶部（記憶手段）
１８　プリントデータ編集部（プリントデータ編集手段）
１８ｃ　切断目印配置部
５０　印画紙
５１　余白部分
５３　切断目印
Ａ，Ｂ，Ｃ，Ｄ，Ｅ，Ｆ，Ｇ，Ｈ，Ｉ，Ｊ　区域
１００　証明写真処理装置
【図１】
2004042556.tif 000004
【図２】
2004042556.tif 000005
【図３】
2004042556.tif 000006
【図４】
2004042556.tif 000007
【図５】
2004042556.tif 000008
【図６】
2004042556.tif 000009
【図７】
2004042556.tif 000010